【手続補正書】
【提出日】平成30年1月29日(2018.1.29)
【手続補正１】
【補正対象書類名】特許請求の範囲
【補正対象項目名】全文
【補正方法】変更
【補正の内容】
【特許請求の範囲】
【請求項１】
対象のバイタルサインをモニタするセンサ装置であって、
バイタルサインを表すか又はバイタルサインに関連付けられるセンサ信号を測定するよう構成される少なくとも１つのセンサと、
前に測定されたセンサ信号に基づき、前記対象の健康状態の変化を決定し、及び／又は不成功の測定若しくは信頼性の低いセンサ信号を識別するため、前記センサ信号を評価するよう構成される評価ユニットと、
前記評価の結果に基づき前記測定間隔を自動的に変化させるため、前記少なくとも１つのセンサを制御するよう構成される制御ユニットとを有し、
前記制御ユニットが、前記少なくとも１つのセンサを制御し、
所定の時間期間若しくは所定の回数を表す、所定の期間の間、又は不成功の測定若しくは信頼性の低いセンサ信号が識別された場合、前記測定が成功するまで若しくは前記センサ信号が信頼性が高くなるまで、前記センサ信号の測定を繰り返し、及び
すべての測定が不成功だった場合又はすべての測定されたセンサ信号が信頼性が低い場合であっても、前記測定されたセンサ信号の１つを出し、
前記すべての測定が不成功だった場合又はすべての測定されたセンサ信号が信頼性が低い場合、前記制御ユニットは更に、前記少なくとも１つのセンサを制御し、
追加的な所定の期間に関して前記センサ信号の測定を繰り返し、及び
前記追加的な所定の期間の間に測定が成功している場合又は信頼性が高いセンサ信号が測定された場合、前記追加的な所定の期間の間に測定された新規センサ信号により前記出されたセンサ信号を置き換えるよう構成される、センサ装置。
【請求項２】
前記対象の前記健康状態が改善している場合、前記測定間隔を増加させ、及び／又は前記対象の前記健康状態が悪化している場合、前記測定間隔を減少させるため、前記制御ユニットが、前記少なくとも１つのセンサを制御するよう構成される、請求項１に記載のセンサ装置。
【請求項３】
前記制御ユニットが、前記少なくとも１つのセンサを制御し、少なくとも最小の測定間隔でセンサ信号を測定する、又は
前記制御ユニットが、前記対象の前記健康状態の変化の深刻さに基づき、前記測定間隔が変化される程度を制御するよう構成される、請求項２に記載のセンサ装置。
【請求項４】
前記センサ装置のエネルギー供給に関するエネルギー供給ユニットと、
前記少なくとも１つのセンサ、前記評価ユニット、前記制御ユニット及び前記エネルギー供給ユニットを収納するハウジングとを更に有する、請求項１に記載のセンサ装置。
【請求項５】
前記測定されたセンサ信号が、１つ又は複数の最後の測定されたセンサ信号から、前記２つ又はこれ以上の最後の測定されたセンサ信号から決定される予想又は推定センサ信号トレンド線から、他のセンサにより測定される１つ又は複数のセンサ信号から、及び／又は外部ソースから受信される情報から、少なくとも第１の所定の絶対量又は相対量分ずれる場合、前記評価ユニットが、前記対象の前記健康状態が変化したと決定するよう構成される、請求項１に記載のセンサ装置。
【請求項６】
前記測定されたセンサ信号から得られる健康状態信号が、現在の健康状態信号から、前記２つ又はこれ以上の最後の健康状態信号から決定される予想又は推定健康状態トレンド線から、及び／又は別のソースから受信される情報から、少なくとも第１の所定の絶対量又は相対量分ずれる場合、前記評価ユニットが、前記対象の前記健康状態が変化したと決定するよう構成される、請求項１に記載のセンサ装置。
【請求項７】
センサ信号が測定されることができない場合、又は前記測定されたセンサ信号が、１つ若しくは複数の最後の測定されたセンサ信号から、前記２つ若しくはこれ以上の最後の測定されたセンサ信号から決定される予想若しくは推定センサ信号トレンド線から、若しくは、１つ若しくは複数の他のセンサにより測定される少なくとも１つのセンサ信号から、少なくとも第２の所定の絶対量若しくは相対量分ずれる場合、前記評価ユニットが、測定が不成功だった、又はセンサ信号の信頼性が低いと決定するよう構成される、請求項１に記載のセンサ装置。
【請求項８】
前記評価ユニットが、前記対象の物理的状態に基づき、前記第１の及び／又は第２の所定の絶対量又は相対量を動的に調整するよう構成される、請求項５に記載のセンサ装置。
【請求項９】
前記評価ユニットが、前記状態が物理活動を実行していることを示すかどうか及び／又は前記対象の物理活動の種類に基づき、前記第１の及び／又は第２の所定の絶対量又は相対量を動的に調整するよう構成される、請求項８に記載のセンサ装置。
【請求項１０】
前記制御ユニットが、計画された測定時間に先立ち測定を開始するため、前記少なくとも１つのセンサを制御するよう構成される、請求項２に記載のセンサ装置。
【請求項１１】
対象のバイタルサインをモニタする方法において、
バイタルサインを表す又はバイタルサインに関連付けられるセンサ信号を測定するステップと、
前に測定されたセンサ信号に基づき、不成功の測定又は信頼性の低いセンサ信号を識別するため、前記センサ信号を評価するステップと、
前記評価の結果に基づき、前記測定間隔を自動的に変化させるため、前記センサ信号の前記測定を制御するステップとを有し、
前記制御するステップが、前記少なくとも１つのセンサを制御し、
所定の時間期間若しくは所定の回数を表す、所定の期間の間、又は不成功の測定若しくは信頼性の低いセンサ信号が識別された場合、前記測定が成功するまで若しくは前記センサ信号が信頼性が高くなるまで、前記センサ信号の測定を繰り返し、及び
すべての測定が不成功だった場合又はすべての測定されたセンサ信号が信頼性が低い場合であっても、前記測定されたセンサ信号の１つを出し、
前記すべての測定が不成功だった場合又はすべての測定されたセンサ信号が信頼性が低い場合、前記制御するステップは更に、前記少なくとも１つのセンサを制御し、
追加的な所定の期間に関して前記センサ信号の測定を繰り返し、及び
前記追加的な所定の期間の間に測定が成功している場合又は信頼性が高いセンサ信号が測定された場合、前記追加的な所定の期間の間に測定された新規センサ信号により前記出されたセンサ信号を置き換えるよう構成される、方法。
【請求項１２】
対象のバイタルサインをモニタする患者モニタリング装置であって、
少なくとも１つのセンサにより測定されるバイタルサインを表す又はバイタルサインに関連付けられるセンサ信号を受信し、前記少なくとも１つのセンサに制御情報を送信するよう構成されるモニタインタフェースと、
前に受信したセンサ信号に基づき、前記対象の健康状態の変化を決定し、及び／又は不成功の測定若しくは信頼性の低いセンサ信号を識別するため、受信したセンサ信号を評価するよう構成される評価ユニットと、
前記評価の結果に基づき、前記測定間隔を自動的に変化するため、前記少なくとも１つのセンサの制御に関する制御情報を生成するよう構成される制御ユニットとを有し、
前記制御ユニットが、前記少なくとも１つのセンサを制御し、
所定の時間期間若しくは所定の回数を表す、所定の期間の間、又は不成功の測定若しくは信頼性の低いセンサ信号が識別された場合、前記測定が成功するまで若しくは前記センサ信号が信頼性が高くなるまで、前記センサ信号の測定を繰り返し、
すべての測定が不成功だった場合又はすべての測定されたセンサ信号が信頼性が低い場合であっても、前記測定されたセンサ信号の１つを出し、
前記すべての測定が不成功だった場合又はすべての測定されたセンサ信号が信頼性が低い場合、前記制御ユニットは更に、前記少なくとも１つのセンサを制御し、
追加的な所定の期間に関して前記センサ信号の測定を繰り返し、及び
前記追加的な所定の期間の間に測定が成功している場合又は信頼性が高いセンサ信号が測定された場合、前記追加的な所定の期間の間に測定された新規センサ信号により前記出されたセンサ信号を置き換えるよう構成される、患者モニタリング装置。
【請求項１３】
対象のバイタルサインをモニタする方法において、
少なくとも１つのセンサにより測定されるバイタルサインを表す又はバイタルサインに関連付けられるセンサ信号を受信するステップと、
前に受信したセンサ信号に基づき、不成功の測定又は信頼性の低いセンサ信号を識別するため、受信したセンサ信号を評価するステップと、
前記評価の結果に基づき、前記測定間隔を自動的に変化するため、前記少なくとも１つのセンサの制御に関する制御情報を生成するステップと、
前記少なくとも１つのセンサに対して前記制御情報を送信するステップとを有し、
前記制御情報が、前記少なくとも１つのセンサを制御し、
所定の時間期間若しくは所定の回数を表す、所定の期間の間、又は不成功の測定若しくは信頼性の低いセンサ信号が識別された場合、前記測定が成功するまで若しくは前記センサ信号が信頼性が高くなるまで、前記センサ信号の測定を繰り返し、
すべての測定が不成功だった場合又はすべての測定されたセンサ信号が信頼性が低い場合であっても、前記測定されたセンサ信号の１つを出し、
追加的な所定の期間に関して前記センサ信号の測定を繰り返し、及び
前記追加的な所定の期間の間に測定が成功している場合又は信頼性が高いセンサ信号が測定された場合、前記追加的な所定の期間の間に測定された新規センサ信号により前記出されたセンサ信号を置き換えるよう構成される、方法。
【請求項１４】
対象のバイタルサインをモニタする患者モニタリングシステムであって、
請求項１２に記載される患者モニタリング装置と、
バイタルサインを表すか又はバイタルサインに関連付けられるセンサ信号を測定するよう構成される少なくとも１つのセンサとを有し、
前記少なくとも１つのセンサが、測定されたセンサ信号を前記患者モニタリング装置に送信し、前記患者モニタリング装置から制御情報を受信するセンサインタフェースを含む、患者モニタリングシステム。
【請求項１５】
コンピュータで実行されるとき、コンピュータに請求項１３に記載の方法のステップを実行させる命令が格納されたコンピュータ可読非一時的媒体。